(57)【要約】【課題】トリミングカッターの位置を設定して照光対象物に対する照光スポットの形状を設定した後に、照光スポットを照光対象物に対して容易に回転調整できるようにしたスポットライトを提供する。【解決手段】光源３２と、光源３２の前方位置で光源からの光の光路を遮るように配置されるとともに、前記光路を遮る位置を変化させることにより照光スポットの形状を変更可能に設定する複数個のトリミングカッター４１とを備えたスポットライト１である。前記複数個のトリミングカッター４１を、相互の位置関係を変えることなく光軸の周りに回転させる回転操作部４２が設けられている。【選択図】  図１
2005317471.tif 000002
【特許請求の範囲】
【請求項１】
光源と、光源の前方位置で光源からの光の光路を遮るように配置されるとともに、前記光路を遮る位置を変化させることにより照光スポットの形状を変更可能に設定する複数個のトリミングカッターとを備えたスポットライトにおいて、
前記複数個のトリミングカッターを、相互の位置関係を変えることなく光軸の周りに回転させる回転操作部が設けられていることを特徴とするスポットライト。
【請求項２】
前記回転操作部は、前記光源が取り付けられたスポットライト本体の前方位置において、前記トリミングカッターを支持した状態で前記スポットライト本体に対して回転可能となされている請求項１に記載のスポットライト。
【発明の詳細な説明】
【技術分野】
【０００１】
この発明は、たとえば店舗の天井等に吊り下げられるスポットライトに関する。
【背景技術】
【０００２】
一般に、上記のようなスポットライトは、上下方向へ首振り可能にかつ水平面内で回転可能な状態で、支持部材を介して天井等の取付部位に取り付けられるものとなされており、スポットライトから照射される光が照光対象物に良好に照射されるように、照光対象物の位置や形状などに応じて、スポットライトの首振り角度や回転角度を調整できるようになっている（たとえば特許文献１）。
【０００３】
また、照光対象物の形状等に応じて、照光対象物に対する照光スポットの形状を任意に変えることができるように、光源からの光の光路を遮ぎ得る位置に複数個のトリミングカッターを配置するとともに、トリミングカッターによる前記光路を遮る位置を変更可能に構成して、所望形状の光通過用アパーチャ部を形成できるようにしたスポットライトも知られている（たとえば特許文献２）。
【特許文献１】実公平７−３５２１５号公報
【特許文献２】特開２０００−１９５３０２号公報
【発明の開示】
【発明が解決しようとする課題】
【０００４】
ところで、上記のようなトリミングカッターを備えたスポットライトにおいて、複数個のトリミングカッターの位置を調整して光通過用アパーチャ部の形状を設定することにより、照光物に対する照光スポットの形状を設定した後に、照光スポットを照光対象物に対して回転方向に微調整したい場合がある。
【０００５】
しかしながら、従来では、トリミングカッター相互の位置関係を保持したままスポットライトそのものを自軸周りに回転させることができなかったため、各トリミングカッターの位置を移動させて再度アパーチャ部の形状や角度を調整するか、あるいはスポットライトの上下首振り位置及び水平面内での回動位置を調整することしかできず、前記微調整の要求に対して十分な満足を与えることができなかった。
【０００６】
この発明は、このような実情に鑑みてなされたものであって、トリミングカッターの位置を設定して照光対象物に対する照光スポットの形状を設定した後に、照光スポットを照光対象物に対して容易に回転調整できるようにしたスポットライトの提供を課題とする。
【課題を解決するための手段】
【０００７】
上記課題を解決するために、この発明は、以下の手段を提供する。
（１）光源と、光源の前方位置で光源からの光の光路を遮るように配置されるとともに、前記光路を遮る位置を変化させることにより照光スポットの形状を変更可能に設定する複数個のトリミングカッターとを備えたスポットライトにおいて、前記複数個のトリミングカッターを、相互の位置関係を変えることなく光軸の周りに回転させる回転操作部が設けられていることを特徴とするスポットライト。
（２）前記回転操作部は、前記光源が取り付けられたスポットライト本体の前方位置において、前記トリミングカッターを支持した状態で前記スポットライト本体に対して回転可能となされている前項１に記載のスポットライト。
【発明の効果】
【０００８】
前項（１）に記載の発明によれば、回転操作部を回転操作することにより、複数個のトリミングカッターを、相互の位置関係を変えることなく光軸の周りに回転させることができるから、照光対象物に対する照光スポットを、その形状を変えることなく回転方向に調整することができる。その結果、従来のように、各トリミングカッターの位置を移動させて再度アパーチャ部の形状や角度を調整する作業や、スポットライトの上下首振り位置及び水平面内での回動位置を調整する作業は不要となり、照光スポットの回転を容易に行うことができる。
【０００９】
前項（２）に記載の発明によれば、回転操作部はトリミングカッターを支持した状態で、光源が取り付けられたスポットライト本体に対して回転可能となされているから、回転操作部の回転操作によってスポットライト本体が回転することはなく、従ってランプの回転による給電用リード線のねじれ等の不都合を生じることがない。
【発明を実施するための最良の形態】
【００１０】
以下、この発明の一実施形態を説明する。
【００１１】
図１は、この発明の一実施形態に係るスポットライトを、支持部材を取り付けた状態で示す分解斜視図、図２は支持部材を取り付けたスポットライトを一部縦断面で示す側面図、図３はスポットライトの長さ方向（軸方向）の前方側から見た正面図である。
【００１２】
これらの図において、１はスポットライトであり、このスポットライト１は、逆Ｕ字形の支持アーム２に、長さ方向の中間部を上下方向に首振り自在に軸着されている。前記支持アーム２は、長さ方向中央部に取付盤２１が回転自在に取り付けられており、この取付盤２１を天井等に固定することにより、支持アーム２が天井等に対して回転自在に取着されるものとなされている。従って、天井等への取り付け状態では、スポットライト１は支持アーム２によって吊り下げ状態に支持され、前記スポットライト１の支持アーム２に対する上下方向の首振り角度を調整するとともに、支持アーム２の水平面内での回転角度を調整することにより、照光対象物に適切なスポット照光を付与することができるものとなされている。
【００１３】
前記スポットライト１は、長さ方向の後部側から順にスポットライト本体３、中間ユニット４、照光スポット径調整部５を備えている。
【００１４】
前記スポットライト本体３は、前端が開口し後部側が縮径された断面円形の樹脂製筒状ハウジング部材からなり、その前端部外周面に前記支持アーム２の両端部が回動自在に取り付けられている。また、スポットライト本体３の内方後端部には、給電用リード線（図示せず）に接続されたランプソケット３１が配設され、このランプソケット３１に光源であるランプ３２が装着されている。
【００１５】
前記中間ユニット４は、複数個（この実施形態では４個）の金属製トリミングカッター４１と、これらのトリミングカッター４１を支持する樹脂製の回転操作部４２と、この回転操作部４２と前記スポットライト本体３とを連結する樹脂製の環状連結部４３とを備えている。
【００１６】
前記各トリミングカッター４１は、図４に詳しく示すように、三角状のカッター羽根４１１と帯状の操作片４１２が薄肉一体に形成されてなり、厚み方向がスポットライト１の長さ方向（軸方向）を向く態様で、かつカッター羽根４１１がスポットライト１の径方向中心側に位置する態様で、回転操作部４２の後端面に取り付けられている。また、操作片４１２の外側端部には、ゴム製つまみ部４１３が被覆されている。トリミングカッター４１の取付については後述する。
【００１７】
前記回転操作部４２は、図４及び図５に示すように、断面円形の中空筒体からなり、長さ方向の前側が径大部４２１に後側が径小部４２２に形成され、径大部４２１と径小部４２２との境界に環状の段部４２３が形成されている。さらに、回転操作部４２の内部には内筒部４２４が一体形成され、この内筒部４２４の内周面の雌ねじ部４２５に、前記照光スポット径調整部５がねじ嵌合されている。また、回転操作部４２の後部内周面には、周方向の４等分位置において、長さ方向に伸びる合計４個の膨出部４２６が形成されるとともに、各膨出部４２６には前記トリミングカッター４１を支持するためのねじ孔４２７がそれぞれ形成されている。
【００１８】
環状連結部４３は、前側の第１部材４４と後側の第２部材４５とからなる。第１部材４４は図４及び図５に示すように、内径一定の筒状挿通部４４１と、筒状挿通部４４１の外側において前方に向かって縮径されたスカート部４４２とを一体に備えている。前記筒状挿通部４２１は、前記回転操作部４２の径小部４２２が挿通されるものであり、その内径は回転操作部４２の径小部４２２の外径よりもわずかに大きく設定され、筒状挿通部４４１に径小部４２２を挿通した状態で、回転操作部４２を自軸周りに回転操作できるものとなされている。また、筒状挿通部４４１の前端周縁部には、前記筒状挿通部４４１に回転操作部４２の径小部４２２が挿通されたときに、回転操作部４２の段部４２３が係止される係止段部４４３が形成されている。
【００１９】
また、第１部材４４の後部における前記筒状挿通部４４１とスカート部４４２との間には、周方向の４等分位置において合計４個の中実部４４４が設けられ、各中実部４４４には、前記第２部材４５を固定するためのねじ孔部４４５がそれぞれ形成されている。
【００２０】
前記トリミングカッター４１は、次のようにして取り付けられている。即ち、図５に示すように、前記回転操作部４２の径小部４２２を、回転操作部４２の段部４２３が前記環状連結部４３の第１部材４４の係止段部４４３に係止するまで筒状挿通部４４１に挿通させる。この状態では、回転操作部４２の後端と第１部材４４の後端とがほぼ面一となっている。
【００２１】
次に、回転操作部４２の後方において、図４に示すように４枚の環状の円板部材４６ａ〜４６ｄを用意する。各円板部材４６ａ〜４６ｄには、中心部に光通過孔４６１が形成されると共に、各周面にはそれぞれ４個のねじ貫通孔４６２が形成されている。また、各円板部材４６ａ〜４６ｄの外径は、回転操作部４２の径小部４２２の外径よりも大きく、環状連結部４３の第１部材４４の筒状挿通部４４１の外径とほぼ同じに設定されている。
【００２２】
そして、第１の円板部材４６ａと第２の円板部材４６ｂとの間に１個のトリミングカッター４１を挟み、第２の円板部材４６ｂと第３の円板部材４６ｃとの間に対向する２個のトリミングカッター４１、４１を挟み、第３の円板部材４６ｃと第４の円板部材４６ｄとの間に１個のトリミングカッター４１を挟んだ状態で、第１〜第４の円板部材４６ａ〜４６ｄを厚さ方向に重ね合わせ、その後方から４個のビス４７を各円板部材４６ａ〜４６ｄのねじ貫通孔４６２に差し込んだのち、さらに前記回転操作部４２後端の前記各ねじ孔４２７にねじ込む。また、ビス４７の頭部と最外側の円板部材４６ｄとの間にはコイルバネ４８が介在され、ビス４７のねじ込み量を調整することにより、コイルバネ４８から円板４６ａ〜４６ｄを介してトリミングカッター４１が受ける挟圧力を調整できるようになっている。この挟圧力は、各トリミングカッター４１をユーザが手で移動させたときに移動でき、かつ手で移動させないときにはその位置を保持できる大きさに設定されている。
【００２３】
トリミングカッター４１の取付後、環状連結部４３の第２部材４５を第１部材４４に固定する。第２部材４５は、図１、図２及び図６に示すように短筒状をなすとともに、前側（第１部材側）の周端面の周方向４等分位置に合計４個の仕切用突起４５１が設けられている。また、各仕切用突起４５１の内側は径方向内方へ膨出しており、この膨出部４５２を前後に貫通してねじ貫通孔４５３が形成されている。そして、図６に示すように、このねじ貫通孔４６３に後方からビス４９が貫通されるとともに、ビス４９の先端が前記第１部材４４のねじ孔部４４５にそれぞれねじ込まれることにより、第１部材４４と第２部材４５とが連結固定されている。
【００２４】
このような第１部材４４と第２部材４５との連結状態においては、図１及び図６に示すように、第１部材４４と第２部材４５との間において、周方向の４等分位置に第２部材４５の４個の仕切用突起４５１がその先端面を第１部材４４に当接させて配置されるとともに、隣り合う仕切用突起４５１の間に合計４個の円弧状空間４０が形成されている。また、各円弧状空間４０を径方向に横断して、前記トリミングカッター４１の１個ずつが配置されるように、各トリミングカッター４１と環状連結部４３との位置関係が設定されている。
【００２５】
そして、円弧状空間４０の長さ範囲内で、ユーザが径方向外方に突出した各トリミングカッター４１のつまみ部４１３を把持して、トリミングカッター４１を光軸と直交する平面内において、自在に移動させることができるものとなされている。たとえば、径方向（操作片４１２の長さ方向）に進退自在に移動させ、あるいは環状連結部４３の周方向（操作片４１２の幅方向）に揺動自在に移動させることができるものとなされている。これにより、各トリミングカッター４１のカッター羽根４１１の先端を、トリミングカッター４１を挟む円板部材４６ａ〜４６ｄの光通過孔４６１に臨ませることにより、光通過孔４６１の内方に４個のカッター羽根４１１の端縁で囲まれたアパーチャ部６（図３に示す）を形成するとともに、カッター羽根４１１の位置を調整することによりアパーチャ部６の形状、換言すればこのアパーチャ部６を通過する光の光路断面形状を任意に設定し、ひいては照光対象物に対する照光スポット形状を可変可能に設定できるものとなされている。
【００２６】
前記第２部材４５には、図５及び図６に示すように、ねじ孔用膨出部４５２に連続して、後方に突出するＬ形脚片４５４が一体に形成されており、このＬ形脚片４５４に、内面を反射面となされた円錐形状の反射体７の周縁部がねじ止めされて、反射体７が第２部材４５と一体的に取り付けられている。前記反射体７は、ランプ３２の光を前方へ反射させるためのものであり、その後部中心部にはランプ挿通孔７１（図２参照）が形成されている。
【００２７】
このような構成の中間ユニット４は、前記反射体７のランプ挿通孔７１にランプ３２が挿通された状態となるように、図６（ｂ）に示すように環状連結部４３の第２部材４５をスポットライト本体３の前端部に外嵌め嵌合したのち、第２部材４５の周方向の複数箇所において、第２部材４５を厚さ方向に貫通する止めねじ４５５をねじ込むことにより、スポットライト本体３に装着されている。
【００２８】
このような中間ユニット４の取り付け状態においては、中間ユニット４の回転操作部４２はスポットライト本体３に対して自軸周りに回転可能に保持され、さらに円板部４６ａ〜４６ｄを介して回転操作部４２と一体に支持されているトリミングカッター４１が、カッター４１相互の位置関係を保持した状態のままスポットライト本体３に対して回転可能となされている。
【００２９】
前記スポットライト１の前端側に位置する前記スポット径調整部５は、図１に示すように、後部外周面に雄ねじ部５１を有する樹脂製の筒体からなり、この雄ねじ部５１を前記回転操作部４２の内筒部４２４の雌ねじ部４２５にねじ嵌合されている。このスポット径調整部５は、前記トリミングカッター４１の未使用時に、ユーザがスポット径調整部５を回転させて軸方向の進退を調節することにより、円形の照光スポットの大きさを調整するものである。
【００３０】
次に、図示実施形態に係るスポットライト１の使用方法を説明する。
【００３１】
スポットライト１は支持アーム２によって天井等に吊り下げ状態に支持されている。ユーザは、４個のトリミングカッター４１を、そのつまみ部４１３を把持して操作片４１２の長さ方向や幅方向に移動させて、円板部材４６ａ〜４６ｄの光通過孔４６１に臨むカッター羽根４１１の先端位置を調整し、４個のトリミングカッター４１のカッター羽根４１１で形成されるアパーチャ部６の形状を設定する。この実施形態では、図３に示すように四角形のアパーチャ部６を形成する。
【００３２】
次に、スポットライト１の上下首振り角度及び水平回転角度を調整することにより、照光対象物に照光スポットを当てる。ランプ３２からの光はアパーチャ部６で光路を四角形に規制され、照光スポットは四角形となる。
【００３３】
次に、照光対象物の形状等に応じて、照光スポットを回転方向に微調整したい場合には、回転操作部４２を回転させる。前記トリミングカッター４１は回転操作部４２に支持されているから、回転操作部４２の回転に応じてトリミングカッター４１は４個相互の位置関係を保持したまま、換言すればアパーチャ部６の大きさ及び形状に影響を及ぼすことなく光軸周りに回転し、所期する回転角度、所期する形状の照光スポットが照光対象物に照射される。
【００３４】
以上、この発明の一実施形態を説明したが、この発明は上記実施形態に限定されることはない。たとえば、回転操作部４２をスポットライト本体３に対して回転させる構成としたが、回転操作部４２とスポットライト本体３が一体的に回転する構成としても良い。しかし、この場合はスポットライト本体３内のランプ３２も一体に回転するため、給電用リード線のねじれ等を引き起こすおそれがあり、このためそのおそれのない本実施形態のようにスポットライト本体３は固定され回転操作部４２が回転する構成とした方が望ましい。
【図面の簡単な説明】
【００３５】
【図１】この発明の一実施形態に係るスポットライトに支持部材を取り付けた状態でスポットライトの各部を分解して示す斜視図である。
【図２】支持部材を取り付けたスポットライトを一部縦断面で示す側面図である。
【図３】スポットライトの長さ方向（軸方向）の前方側から見た正面図である。
【図４】中間ユニットの分解斜視図である。
【図５】図２の要部拡大図である。
【図６】（ａ）は環状連結部の近傍部位の平面図、（ｂ）は図（ａ）のVI−VI線断面図である。
【符号の説明】
【００３６】
１              スポットライト
２              支持アーム
３              スポットライト本体
４              中間ユニット
６              アパーチャ部
３２            ランプ
４１            トリミングカッター
４２            回転操作部
４３            環状連結部
４６ａ〜４６ｄ  円板部材
４６１          光通過孔
【図１】
2005317471.tif 000003
【図３】
2005317471.tif 000004
【図４】
2005317471.tif 000005
【図６】
2005317471.tif 000006
【図２】
2005317471.tif 000007
【図５】
2005317471.tif 000008